(57)【要約】【課題】  ベッドの下部空間に机等を収容可能となしたベッドと机の組合せ家具において、机をベッドの空間部から引き出して使用する場合と、机を空間部に押し込んで格納した場合にも照明器具を便利に使用することが可能なベッドと机の組合せ家具を提供する。【解決手段】  上段をベッド部５とするとともに、下段を空間部６としたベッド１と、ベッドの空間部内に押し込み格納可能な机２とを有するベッドと机の組合せ家具であって、机の一側部に天板１１の側端縁よりも側方へ突出した突出部材１２を設け、ベッドの空間部内に机を押し込み格納した際に突出部材が空間部より突出するように設定してなる。そして、机２の一側部に突設した突出部材１２に照明器具１３のアーム１４を取付ける。【選択図】        図２
2008301976.tif 000002
【特許請求の範囲】
【請求項１】
上段をベッド部とするとともに、下段を空間部としたベッドと、前記ベッドの空間部内に押し込み格納可能な机とを有するベッドと机の組合せ家具であって、前記机の一側部に天板の側端縁よりも側方へ突出した突出部材を設け、前記ベッドの空間部内に机を押し込み格納した際に前記突出部材が前記空間部より突出するように設定してなるベッドと机の組合せ家具。
【請求項２】
前記机の一側部に突設した前記突出部材に照明器具のアームを取付ける請求項１記載のベッドと机の組合せ家具。
【請求項３】
前記ベッドの空間部内に机を押し込み格納した際に、前記突出部材に取付けた照明器具の灯具が前記ベッド部の上位に位置するように調節可能である請求項１又は２記載のベッドと机の組合せ家具。
【請求項４】
前記突出部材が、前記机を前記ベッドの空間部内に押し込み格納する際、あるいは空間部から引き出す際の把手を兼ねている請求項１〜３何れかに記載のベッドと机の組合せ家具。
【発明の詳細な説明】
【技術分野】
【０００１】
本発明は、ベッドと机の組合せ家具に係わり、更に詳しくはベッドの下部空間に机等を収容可能となしたベッドと机の組合せ家具に関するものである。
【背景技術】
【０００２】
従来から、ベッドの上段をベッド部とし、下部空間に机等を収容可能となしたベッドと机の組合せ家具は各種提供されている。例えば、特許文献１には、上段をベッド部とするとともに、下段を作業空間部とし、該作業空間部に机を配してなるベッドと机の組合せ家具であって、前記ベッド部の四隅を支持する４本の支柱のうち、正面側の一対の支柱間を開放部とし、他の支柱間を上下に間隔を置いて複数の横桟で連結したベッドと机の組合せ家具が開示されている。
【０００３】
また、特許文献２には、複数の板材を組み合わせて上段をベッドとし、下段を空き空間とするベッド本体と、前記空き空間上部に所定形状の天板を水平方向に回動可能に枢着される机とを備えることを特徴とする机付ベッドが開示されている。ここで、前記天板の遊端側には複数のキャスター付き脚を設け、天板とで机を構成している。
【０００４】
しかし、前述の特許文献１及び特許文献２には、机に照明器具をどのように取付けるか、あるいはベッドの照明をどうするかについては一切開示がない。
【特許文献１】特開２００４−０２４４２５号公報
【特許文献２】特開２００６−１０２３４１号公報
【発明の開示】
【発明が解決しようとする課題】
【０００５】
そこで、本発明が前述の状況に鑑み、解決しようとするところは、ベッドの下部空間に机等を収容可能となしたベッドと机の組合せ家具において、机をベッドの空間部から引き出して使用する場合と、机を空間部に押し込んで格納した場合にも照明器具を便利に使用することが可能なベッドと机の組合せ家具を提供する点にある。
【課題を解決するための手段】
【０００６】
本発明は、前述の課題解決のために、上段をベッド部とするとともに、下段を空間部としたベッドと、前記ベッドの空間部内に押し込み格納可能な机とを有するベッドと机の組合せ家具であって、前記机の一側部に天板の側端縁よりも側方へ突出した突出部材を設け、前記ベッドの空間部内に机を押し込み格納した際に前記突出部材が前記空間部より突出するように設定してなるベッドと机の組合せ家具を構成した（請求項１）。
【０００７】
ここで、前記机の一側部に突設した前記突出部材に照明器具のアームを取付けるとより好ましい（請求項２）。
【０００８】
また、前記ベッドの空間部内に机を押し込み格納した際に、前記突出部材に取付けた照明器具の灯具が前記ベッド部の上位に位置するように調節可能であると更に好ましい（請求項３）。
【０００９】
また、前記突出部材が、前記机を前記ベッドの空間部内に押し込み格納する際、あるいは空間部から引き出す際の把手を兼ねていることも好ましい（請求項４）。
【発明の効果】
【００１０】
以上にしてなる請求項１に係る発明のベッドと机の組合せ家具は、上段をベッド部とするとともに、下段を空間部としたベッドと、前記ベッドの空間部内に押し込み格納可能な机とを有するベッドと机の組合せ家具において、机の一側部に天板の側端縁よりも側方へ突出した突出部材を設けたので、ベッドの空間部内に机を押し込み格納した際にも前記突出部材が前記空間部より突出するように設定したので、該突出部材を利用して付属部品を取付けることができるとともに、該突出部材を持って机をベッドの空間部から引き出すことができる。
【００１１】
請求項２によれば、机の一側部に突設した突出部材に照明器具のアームを取付けたので、照明器具を机に取付けたままベッドの空間部内に机を押し込み格納することができ、また机をベッドの空間部から引き出して使用する際に、照明器具を利用することができる。
【００１２】
請求項３によれば、ベッドの空間部内に机を押し込み格納した際に、突出部材に取付けた照明器具の灯具がベッド部の上位に位置するように調節可能であるので、ベッド部に横たわった状態で照明器具を利用することができる。
【００１３】
請求項４によれば、突出部材が、机をベッドの空間部内に押し込み格納する際、あるいは空間部から引き出す際の把手を兼ねているので、机の格納、引き出し作業が容易である。
【発明を実施するための最良の形態】
【００１４】
次に、添付図面に示した実施形態に基づき、本発明を更に詳細に説明する。図１及び図２は本発明に係るベッドと机の組合せ家具の代表的実施形態を示し、図中符号１はベッド、２は机、３は整理棚、４はタンスをそれぞれ示している。
【００１５】
前記ベッド１は、上段をベッド部５とするとともに、下段を空間部６とし、該空間部６に机２、整理棚３及びタンス４を押し込み格納可能となっている。前記ベッド１は、両側に配した側部脚７，７の上部間に側柵体８，８を連結するとともに、両側部脚７，７と側柵体８，８とで囲まれた上部に床部材９を保持してベッド部５を構成している。そして、前記床部材９の下方は前記空間部６となっている。
【００１６】
前記机２は、両脚体１０，１０の上部間に、平面視長方形の天板１１の短辺側を高さ調節可能に連結するとともに、一方の前記脚体１０の外側面の上部に板状の突出部材１２を固定し、該突出部材１２を天板１１の側端縁よりも側方へ突出させている。前記突出部材１２は、平面視長方形であり、その長手方向を前記脚体１０の外側面にネジ止め等の適宜な固定手段で取付けている。
【００１７】
そして、照明器具１３のアーム１４を前記突出部材１２にクランプ等によって取付け、該アーム１４で支持された灯具１５の位置を調節可能としている。
【００１８】
図１は、前記ベッド１の空間部６に前記机２を長辺の方向に沿って一側部から押し込み格納し、前記天板１１が空間部６に完全に隠れた状態である。この格納状態でも前記突出部材１２は空間部６からベッドの前面側から手前に突出しているので、該突出部材１２に照明器具１３のアーム１４を取付けたままでも押し込み格納することができるとともに、前記アーム１４を調節して灯具１５を前記ベッド部５の頭部側の上位に配置することができ、ベッド部５おける照明としても利用できるのである。
【００１９】
図２及び図３は、前記机２をベッド１の空間部６から引き出し、机２の天板１１の長辺側に着座して使用可能な状態を示している。この場合も、勿論、照明器具１３のアーム１４を調節して灯具１５を天板１１の後部上位に配置して、天板１１の上面を照らすことができる。
【００２０】
尚、図４は、前記机２の天板１１を低い位置に設定した状態で、前記机２をベッド１の空間部６から引き出して使用する状態を示している。また、図５は、前記ベッド１の空間部６の開放側から見た正面図である。通常は、前記机２を空間部６の一側寄り、即ち一方の側部脚７に寄せた位置に配置している。
【００２１】
このように、前記照明器具１３は、前記脚体１０の外側面に突設した突出部材１２に取付けたので、前記天板１１を両脚体１０，１０に対して高さを変更しても、該照明器具１３の取付位置は全く変更されないのである。
【００２２】
また、前記突出部材１２は、前記机２を前記ベッド１の空間部６内に押し込み格納する際、あるいは空間部６から引き出す際の把手を兼ねさせることも可能である。その場合、前記突出部材１２の下面に指を掛ける凹部を形成したり、一部に上下貫通した開口を形成して、より把手としての機能を強化することも好ましい。
【図面の簡単な説明】
【００２３】
【図１】本発明に係るベッドと机の組合せ家具の代表的実施形態を示し、机をベッドの空間部に押し込み格納した状態の斜視図である。
【図２】同じく机をベッドの空間部から引き出した使用状態を示す斜視図である。
【図３】図２の状態の側面図である。
【図４】天板の高さを低く設定した机をベッドの空間部から引き出した使用状態を示す側面図である。
【図５】ベッドと机の組合せ家具の正面図である。
【符号の説明】
【００２４】
１  ベッド、
２  机、
３  整理棚、
４  タンス、
５  ベッド部、
６  空間部、
７  側部脚、
８  側柵体、
９  床部材、
１０  脚体、
１１  天板、
１２  突出部材、
１３  照明器具、
１４  アーム、
１５  灯具。
【図１】
2008301976.tif 000003
【図２】
2008301976.tif 000004
【図３】
2008301976.tif 000005
【図４】
2008301976.tif 000006
【図５】
2008301976.tif 000007